(57)【特許請求の範囲】
【請求項１】
内壁面によって囲繞される内部空間を有したボックス状のエンクロージャと、該エンクロージャの内壁面の一面からなるバッフル面を形成する壁部に取付けられるスピーカユニットと、上記エンクロージャの内部空間に設けられる吸音部材とを備え、該吸音部材として、基端が上記エンクロージャの内壁面に取付けられ先端先細りに形成された塔状体を備えたスピーカ装置において、
上記塔状体を、その基端と先端とを結ぶ軸線に沿って複数に分割し、この分割により形成された複数の分割体の側面を、夫々、先端側から基端側に向けて末広がりの傾斜面に形成し、上記塔状体を、上記複数の分割体を軸方向に連設して構成したことを特徴とするスピーカ装置。
【請求項２】
各分割体の形状及び／または大きさを異ならせたことを特徴とする請求項１記載のスピーカ装置。
【請求項３】
上記複数の分割体のうち一部の分割体若しくは全部の分割体の底面を凹設し、該凹設した分割体の底面とこれに隣接する下位の分割体の先端部との間に凹部を形成したことを特徴とする請求項１または２記載のスピーカ装置。
【請求項４】
上記底面の表面を、先端側から基端側に向けて末広がりの傾斜面であって上記側面の傾斜面とは異なる角度の傾斜面に形成したことを特徴とする請求項３記載のスピーカ装置。
【請求項５】
上記分割体を３以上設け、先端の分割体と基端の分割体との間にある分割体にその軸線に沿ってロッドが挿通可能な挿通孔を形成し、各分割体を連設した状態で上記挿通孔にロッドを挿通し、該ロッドの一端を先端の分割体に止着し該ロッドの他端を基端の分割体に止着し、先端の分割体と基端の分割体との間にある分割体を該先端の分割体と基端の分割体とで挾持したことを特徴とする請求項１乃至４何れかに記載のスピーカ装置。
【請求項６】
上記分割体を３以上設け、隣接する先端側の分割体と基端側の分割体とを弾性部材を介して連設したことを特徴とする請求項１乃至５何れかに記載のスピーカ装置。
【請求項７】
上記吸音部材として、上記塔状体の他に、上記分割体の底面の下方に臨む繊維質あるいは多孔質の付設体を用い、該付設体を、上記複数の分割体のうち一部の分割体若しくは全部の分割体に、夫々設けたことを特徴とする請求項１乃至６何れかに記載のスピーカ装置。
【請求項８】
上記分割体を３以上設け、上記付設体を、マット状に形成し、その中央部分を隣接する分割体間に介装し、該中央部分の周囲を該隣接する分割体の上位の分割体の底面の下方に臨ませたことを特徴とする請求項７記載のスピーカ装置。
【請求項９】
上記付設体を、上記複数の分割体のうち２以上の分割体に夫々対応して複数設け、各付設体の密度を上記スピーカユニットから遠ざかるに従って大きく設定したことを特徴とする請求項７または８記載のスピーカ装置。
【請求項１０】
上記吸音部材として、上記塔状体の他に、上記内部空間に充填される繊維質あるいは多孔質の充填材を設けるとともに、該充填材の密度を上記スピーカユニットから遠ざかるに従って大きく設定したことを特徴とする請求項１乃至９何れかに記載のスピーカ装置。
【請求項１１】
上記付設体を、上記複数の分割体のうち２以上の分割体に夫々対応して複数設け、各付設体の密度を上記スピーカユニットから遠ざかるに従って大きく設定し、
上記吸音部材として、上記塔状体の他に、上記内部空間に充填される繊維質あるいは多孔質の充填材を設けるとともに、該充填材の密度を上記スピーカユニットから遠ざかるに従って大きく設定し、
上記エンクロージャ内部の吸音状態を、ピンクノイズ減衰強度が、５００Ｈｚにおいて−３０ｄｂ以下になり、且つ、５０００Ｈｚにおいて−５０ｄｂ以下になるようにしたことを特徴とする請求項７乃至９何れかに記載のスピーカ装置。
【請求項１２】
上記エンクロージャの内壁面を、上記スピーカユニットが設けられるバッフル面と、該バッフル面に対向する対向面と、上記対向面及びバッフル面に連設される筒状の周囲面とを備えて構成し、該内壁面によって囲繞される内部空間を多面体に形成し、上記周囲面を、該周囲面の軸線に直交する平面から見た輪郭線が奇数の多角形状になるように形成したことを特徴とする請求項１乃至１１何れかに記載のスピーカ装置。
【請求項１３】
上記バッフル面及び対向面を互いに鏡面対称であって上記周囲面の多角形状に対応した多角形状に形成し、上記対向面に上記塔状体を設け、上記バッフル面及び対向面間の距離をＬ、上記塔状体の高さをＨとしたとき、０．３Ｌ≦Ｈ≦Ｌにしたことを特徴とする請求項１２記載のスピーカ装置。
【発明の詳細な説明】
【技術分野】
【０００１】
本発明は、ボックス状のエンクロージャにスピーカユニットを取付けたスピーカ装置に係り、特に、エンクロージャの内部空間に吸音部材を備えたスピーカ装置に関する。
【背景技術】
【０００２】
従来、この種のスピーカ装置として、例えば、特開昭６２−２０８７９８号公報（特許文献１）に記載された技術が知られている。図２０に示すように、このスピーカ装置Ｓａは、内壁面によって囲繞される内部空間ｅを有したボックス状のエンクロージャ１００と、エンクロージャ１００の一端面に取付けられるスピーカユニット１０１と、エンクロージャ１００の内部空間ｅに設けられる吸音部材とを備えて構成されている。吸音部材は、基端がエンクロージャ１００の他端面に取付けられ先端先細りに形成された円錐状の塔状体１０２で構成されている。本装置Ｓａのエンクロージャ１００及び塔状体１０２は、２ｍを超える長大で大型化されたものである。そして、この円錐状の塔状体１０２により、エンクロージャ１００の内部空間ｅの断面積をスピーカユニット１０１の設けられた一端面から他端面に向けて徐々に狭くなるようにし、スピーカユニット１０１の背面から輻射される音波を音響インピーダンスが急変しないような形状の吸音材を充填することによって吸収し、スピーカユニット１０１の前面から放射される音波に共振や減衰などの影響を与えないようにしている。
【０００３】
また、従来のスピーカ装置としては、例えば、特表２００１−５２４２８７号公報（特許文献２）に記載された技術も知られている。図２１に示すように、このスピーカ装置Ｓｂは、内部空間ｅを有したエンクロージャ１１０と、スピーカユニット１１１とを備えている。エンクロージャ１１０は、スピーカユニット１１１を支持する中空の共鳴本体部１１２と、本体部１１２のスピーカユニット１１１の後部に音響的に連結されスピーカユニット１１１の後部に生じる音波をそらせ且つ吸収するためのチューブ１１３とを備えて構成されている。エンクロージャ１１０の内部には、例えばガラスファイバからなる吸音部材としての充填材１１４が設けられている。エンクロージャ１１０の本体部１１２及びチューブ１１３の共振を低減するように充填材１１４により減衰し、また、本体部１１２の高次の共振がチューブ１１３の高次の共振を相殺することによって、スピーカユニット１１１の背面に発する音波が前面から放出される音波に共振や減衰などの影響を与えないようにしている。
【先行技術文献】
【特許文献】
【０００４】
【特許文献１】特開昭６２−２０８７９８号公報
【特許文献２】特表２００１−５２４２８７号公報
【発明の概要】
【発明が解決しようとする課題】
【０００５】
ところで、上記図２０に示す従来のスピーカ装置Ｓａにあっては、円錐状の塔状体１０２によりエンクロージャ１００の内部空間ｅの断面積を徐々に狭くし、即ち、音響インピーダンスが実質的に急変しないような円錐形状の塔状体１０２からなる吸音部材を設けることによって音波を吸収するようにしているが、２ｍを超える音道にした長大なエンクロージャ１００と大きな塔状体１０２を必要とするため大型化して実用的ではなく、また、大型にしても必ずしも、背面から輻射音波の吸収効率に優れるとは言えない。
【０００６】
一方、図２１に示す従来のスピーカ装置Ｓｂにあっては、単純な共鳴構造と単純な吸音部材構成によって、スピーカユニット１１１の背面に発する音波が前面から放出される音波に共振や減衰などの影響を与えないようにしているために、音波帯域に与える効果と吸音特性が限定的になっている。そのため、この特許文献２に記述されているように多数のスピーカユニットを組み合わせたマルチスピーカーシステムを必要とすることになり、スピーカユニット間の位相の整合性をとることが困難になり、実質的な音質に優れているとは言えない。
【０００７】
本発明はこのような点に鑑みて為されたもので、スピーカユニットの背面から輻射される音波の吸収効率の向上を図り、可能な限りスピーカユニットから忠実な音が再現できるようにしたスピーカ装置を提供することを目的とする。
【課題を解決するための手段】
【０００８】
このような目的を達成するための本発明のスピーカ装置は、内壁面によって囲繞される内部空間を有したボックス状のエンクロージャと、該エンクロージャの内壁面の一面からなるバッフル面を形成する壁部に取付けられるスピーカユニットと、上記エンクロージャの内部空間に設けられる吸音部材とを備え、該吸音部材として、基端が上記エンクロージャの内壁面に取付けられ先端先細りに形成された塔状体を備えたスピーカ装置において、
上記吸音部材として、上記塔状体の他に、上記内部空間に充填される繊維質あるいは多孔質の充填材を設けるとともに、該充填材の密度を上記スピーカユニットから遠ざかるに従って大きく設定した構成としている。
【０００９】
エンクロージャの材質としては、例えば、木質系材料，合成樹脂材料，金属材料，セラミック材料，これらの複合材料等で構成することができる。また、塔状体の材質としては、例えば、木質系材料，合成樹脂材料，ゴム系材料，金属材料，セラミック材料，これらの複合材料あるいは多孔質材等で構成することができる。塔状体は、エンクロージャの内壁面であれば、どこに設けられても良い。また、塔状体は、複数設けられても良い。
【００１０】
充填材の材質としては、例えば、グラスウール，フェルト，綿やウール等の天然繊維，ポリエステル，ポリプロピレン，アセテートやポリアミド（ナイロン）等の化学繊維，メラミンやウレタンなど高分子やゴムなどの発泡材，鉛やアルミの金属箔，ゴム，高分子等のシート材，不織布等により構成することができる。また、これらの材料を適宜組み合わせて用いることもできる。
【００１１】
これにより、塔状体は、先端先細りに形成されているので、エンクロージャの内部空間の断面積を変化させることができ、このため、音響インピーダンスが実質的に急変しないような形状を形成して背面から輻射される音波をエンクロージャ末端まで導くことができる。また、内部空間には繊維質あるいは多孔質の充填材が充填させられているので、この充填材によっても音波のエネルギーを吸収することができる。しかも、充填材は、その密度がスピーカユニットから遠ざかるに従って大きく設定されているので、充填材の音波に対するインピーダンスが徐々に変化する密度傾斜構造を構成することから、音波の反射が抑制され末端まで導かれその間で熱に変化して吸音される。そのため、塔状体の音響インピーダンスが急変しないような形状を形成してエンクロージャ末端まで導く機能に加えて充填材による吸音機能が相乗的に働くので、音波の吸収効率の向上を図ることができ、可能な限りスピーカユニットから忠実な音を再現できるようになる。
【００１２】
また、従来のスピーカシステムの基本的な設計思想としては、エンクロージャ内部に多量の充填材を充填すると、低音域の音圧が減少する理由で出来るだけ充填材の充填量を少なくする設計手法が取られているが、本発明によれば、塔状体の他に充填材を設けることでその充填量を少なくし、且つ、スピーカユニットが保有する本来の音響特性を最大限生かすことができるのである。
【００１３】
また、上記目的を達成するための本発明のスピーカ装置は、内壁面によって囲繞される内部空間を有したボックス状のエンクロージャと、該エンクロージャの内壁面の一面からなるバッフル面を形成する壁部に取付けられるスピーカユニットと、上記エンクロージャの内部空間に設けられる吸音部材とを備え、該吸音部材として、基端が上記エンクロージャの内壁面に取付けられ先端先細りに形成された塔状体を備えたスピーカ装置において、
上記塔状体を、その基端と先端とを結ぶ軸線に沿って複数に分割し、この分割により形成された複数の分割体の側面を、夫々、先端側から基端側に向けて末広がりの傾斜面に形成し、上記塔状体を、上記複数の分割体を軸方向に連設して構成している。
【００１４】
エンクロージャの材質としては、上述もしたように、例えば、木質系材料，合成樹脂材料，金属材料，セラミック材料，これらの複合材料等で構成することができる。また、塔状体の材質としては、上述もしたように、例えば、木質系材料，合成樹脂材料，ゴム系材料，金属材料，セラミック材料，これらの複合材料あるいは多孔質材等で構成することができる。塔状体は、エンクロージャの内壁面であれば、どこに設けられても良い。また、塔状体は、複数設けられても良い。
【００１５】
これにより、塔状体は、先端先細りに形成され、しかも、塔状体は分割され、各分割体が、夫々、傾斜面に形成された側面を有するので、従来の平坦な塔状体に比較して、高音から低音までの幅広い音波の周波数帯域に対して吸音効果が多様になることから、より一層吸収効率の向上を図ることができ、より一層スピーカユニットから忠実な音を再現できるようになる。
【００１６】
そして、必要に応じ、各分割体の形状及び／または大きさを異ならせた構成としている。形状を異ならせるには、例えば、各分割体の形状が、円錐形，円錐台形，多角錘形，多角錘台形等の適宜の組み合わせを選択することにより実現できる。大きさを異ならせるには、例えば、各分割体の高さ寸法や底面の最大長さを変えることにより実現できる。
これにより、各分割体において、一定の振動数をもった共振音を発生しにくくすることができ、より一層吸収効率の向上を図ることができる。
【００１７】
また、必要に応じ、上記複数の分割体のうち一部の分割体若しくは全部の分割体の底面を凹設し、該凹設した分割体の底面とこれに隣接する下位の分割体の先端部との間に凹部を形成した構成としている。
これにより、分割体の裏側に凹部からなるポケットが形成されるので、このポケットに音波が入り込むことから、低音から高音までの幅広い周波数帯域に対して吸音作用が生じ、より一層吸収効率の向上を図ることができ、より一層スピーカユニットから忠実な音を再現できるようになる。
【００１８】
この場合、上記底面の表面を、先端側から基端側に向けて末広がりの傾斜面であって上記側面の傾斜面とは異なる角度の傾斜面に形成したことが有効である。各分割体に、厚みの変化した構造が存在することになり、そのため、各分割体において、一定の振動数をもった共振音を発生しにくくすることができ、より一層吸収効率の向上を図ることができる。
【００１９】
また、必要に応じ、分割体を３以上設け、先端の分割体と基端の分割体との間にある分割体にその軸線に沿ってロッドが挿通可能な挿通孔を形成し、各分割体を連設した状態で上記挿通孔にロッドを挿通し、該ロッドの一端を先端の分割体に止着し該ロッドの他端を基端の分割体に止着し、先端の分割体と基端の分割体との間にある分割体を該先端の分割体と基端の分割体とで挾持した構成としている。
【００２０】
この場合、先端の分割体及び／または基端の分割体にも、挿通孔を形成し、これにロッドを挿通して止着するようにしてよい。止着は、ロッドに雄ネジを形成し、これにナットを螺合して行うことができる。これにより、分割体をロッドで集約して塔状体を形成できるので、塔状体の作成を容易にすることができる。
【００２１】
また、この場合、上記分割体を３以上設け、隣接する先端側の分割体と基端側の分割体とを弾性部材を介して連設したことが有効である。弾性部材は接着剤であっても良い。
これにより、弾性部材が分割体間に介装されるので、各分割体の固有の振動音の発生を防止することができる。全体構造としても固有の振動音の発生を防止することができ、それだけ吸音作用を増加させることができる。さらに幅広い周波数帯域に対して吸音効果を発揮させることができる。
【００２２】
更に、必要に応じ、上記吸音部材として、上記塔状体の他に、上記分割体の底面の下方に臨む繊維質あるいは多孔質の付設体を用い、該付設体を、上記複数の分割体のうち一部の分割体若しくは全部の分割体に、夫々設けた構成としている。
【００２３】
付設体の材質としては、例えば、グラスウール，フェルト，綿やウール等の天然繊維，ポリエステル，ポリプロピレン，アセテートやポリアミド（ナイロン）等の化学繊維，メラミンやウレタンなど高分子やゴムなどの発泡材，鉛やアルミの金属箔，ゴム，高分子等のシート材，不織布等により構成することができる。また、これらの材料を適宜組み合わせて用いることもできる。
【００２４】
これにより、付設体によっても塔状体を構成する分割体とともに振動吸収を行い、その吸音効果によって吸音することができるので、より一層吸収効率の向上を図ることができる。
【００２５】
この場合、分割体を３以上設け、上記付設体を、マット状に形成し、その中央部分を隣接する分割体間に介装し、該中央部分の周囲を該隣接する分割体の上位の分割体の底面の下方に臨ませたことが有効である。
これにより、マット状の付設体の中央部分が分割体間に介装されるので、分割体の振動が吸収されるようになり、そのため、各分割体の固有の振動音の発生を防止することができる。全体構造としても固有の振動音の発生を防止することができ、それだけ吸音作用を増加させることができる。
【００２６】
また、この場合、上記付設体を、上記複数の分割体のうち２以上の分割体に夫々対応して複数設け、各付設体の密度を上記スピーカユニットから遠ざかるに従って大きく設定したことが有効である。
これにより、幅広い周波数帯域に対して吸音効果を発揮させることができ、より一層、性能を向上させることができる。
【００２７】
そしてまた、必要に応じ、上記吸音部材として、上記塔状体の他に、上記内部空間に充填される繊維質あるいは多孔質の充填材を設けるとともに、該充填材の密度を上記スピーカユニットから遠ざかるに従って大きく設定した構成としている。
【００２８】
上述もしたように、充填材の材質としては、例えば、グラスウール，フェルト，綿やウール等の天然繊維，ポリエステル，ポリプロピレン，アセテートやポリアミド（ナイロン）等の化学繊維，メラミンやウレタンなど高分子やゴムなどの発泡材，鉛やアルミの金属箔，ゴム，高分子等のシート材，不織布等により構成することができる。また、これらの材料を適宜組み合わせて用い、充填材の密度をスピーカユニットから遠ざかるに従って大きく設定することもできる。
【００２９】
これにより、上述もしたように、塔状体は、先端先細りに形成されているので、エンクロージャの内部空間の断面積を変化させることができ、このため、音響インピーダンスが実質的に急変しないような形状を形成して背面から輻射される音波をエンクロージャ末端まで導くことができる。この場合、塔状体は分割され、各分割体が、夫々、傾斜面に形成された側面を有するので、平坦な塔状体に比較して、高音から低音までの幅広い音波の周波数帯域に対して吸音効果が多様になることから、より一層吸収効率の向上を図ることができ、より一層スピーカユニットから忠実な音を再現できるようになる。そしてまた、内部空間には繊維質あるいは多孔質の充填材が充填させられているので、この充填材によっても音波のエネルギーを吸収することができる。しかも、充填材は、その密度がスピーカユニットから遠ざかるに従って大きく設定されているので、充填材の音波に対するインピーダンスが徐々に変化する密度傾斜構造を構成することから、音波の反射が抑制され末端まで導かれその間で熱に変化して吸音される。そのため、塔状体の音響インピーダンスが急変しないような形状を形成してエンクロージャ末端まで導く機能に加えて充填材による吸音機能が相乗的に働くので、音波の吸収効率の向上を図ることができ、可能な限りスピーカユニットから忠実な音を再現できるようになる。
【００３０】
また、従来のスピーカシステムの基本的な設計思想としては、エンクロージャ内部に多量の充填材を充填すると、低音域の音圧が減少する理由で出来るだけ充填材の充填量を少なくする設計手法が取られているが、本発明によれば、塔状体の他に充填材を設けることでその充填量を少なくし、且つ、スピーカユニットが保有する本来の音響特性を最大限生かすことができるのである。
【００３１】
より具体的には、上記付設体を、上記複数の分割体のうち２以上の分割体に夫々対応して複数設け、各付設体の密度を上記スピーカユニットから遠ざかるに従って大きく設定し、
上記吸音部材として、上記塔状体の他に、上記内部空間に充填される繊維質あるいは多孔質の充填材を設けるとともに、該充填材の密度を上記スピーカユニットから遠ざかるに従って大きく設定し、
上記エンクロージャ内部の吸音状態を、ピンクノイズ減衰強度が、５００Ｈｚにおいて−３０ｄｂ以下になり、且つ、５０００Ｈｚにおいて−５０ｄｂ以下になるようにした構成にしている。
【００３２】
そしてまた、必要に応じ、上記エンクロージャの内壁面を、上記スピーカユニットが設けられるバッフル面と、該バッフル面に対向する対向面と、上記対向面及びバッフル面に連設される筒状の周囲面とを備えて構成し、該内壁面によって囲繞される内部空間を多面体に形成し、上記周囲面を、該周囲面の軸線に直交する平面から見た輪郭線が奇数の多角形状になるように形成した構成としている。
【００３３】
これにより、周囲面の各面が平行に対向しないことから、音の定在波の発生を防止することができる。即ち、上記の吸音効果と定在波減少効果とが相乗してスピーカユニットの背面音波を最大限に吸音することができるのである。そのため、より一層吸収効率の向上を図ることができ、より一層スピーカユニットから位相の揃った忠実な音を再現できるようになる。特に、録音現場に居るとの錯覚を受ける澄んだ生の音を聴いている感覚を得ることができる。
【００３４】
この場合、上記バッフル面及び対向面を互いに鏡面対称であって上記周囲面の多角形状に対応した多角形状に形成し、上記対向面に上記塔状体を設け、上記バッフル面及び対向面間の距離をＬ、上記塔状体の高さをＨとしたとき、０．３Ｌ≦Ｈ≦Ｌにしたことが有効である。塔状体の吸音効果と定在波減少効果とを相乗的に確実に発揮させることができる。バッフル面がスピーカユニット面積の２倍以下で抑えられ、その分エンクロージャが横長になることで塔状体の高さを十分とることができ、充填材を充填した場合、充填材の密度をスピーカユニット側の低密度から奥側端部に行くにしたがって高密度にする構造がより効果的に達成できる。
【発明の効果】
【００３５】
本発明によれば、スピーカユニットの背面から輻射される音波の吸収効率の向上を図り、可能な限りスピーカユニットから忠実な位相の揃った音が再現できるようになる。即ち、スピーカ振動板裏面の逆位相の音波をエンクロージャが十分吸音して、共振や減衰などの影響を与えない可能な限り付帯音無しにし、前面音波に影響を与えないよう低音から高音までの幅広い音域の位相がそろった状態にすることができる。さらに、バッフル面積を最小にして、できるだけ近似的な点音源にすることができる。具体的にはバッフル面がスピーカユニット面積の２倍以下で抑えられた近似的な点音源を達成でき、エンクロージャ内部の吸音効果が優れており濁りの無い波形に忠実な音が再現できた相乗効果で、幅広い音域の位相がそろった原音再生を可能にして、演奏者や歌い手が実在し大編成オーケストラが前後左右眼前に広がっている実在感を得ることが出来る小型のスピーカシステムを得ることができる。更に、小型のスピーカであっても、これから５０〜９０ｃｍの近接した距離で聴くことができる。その効果寄与によって、近隣への配慮をあまりすることなく十分な音量で４畳半のような狭い場所でも大型スピーカシステムに匹敵する以上の臨場感と実在感ある音楽を聴くことができる。勿論、大きな空間をもつ２０畳を超えるようなオーディオルームで聴いても従来の大型システムに匹敵する以上の臨場感と実在感のある音楽を聴くことができる。
【図面の簡単な説明】
【００３６】
【図１】本発明の第１の実施の形態に係るスピーカ装置を示す一部切欠き斜視図である。
【図２】本発明の第１の実施の形態に係るスピーカ装置のエンクロージャの本体の構造を示す正面図である。
【図３】本発明の第１の実施の形態に係るスピーカ装置を示す側面断面図である。
【図４】本発明の第２の実施の形態に係るスピーカ装置を示す一部切欠き斜視図である。
【図５】本発明の第２の実施の形態に係るスピーカ装置を示す側面断面図である。
【図６】本発明の第２の実施の形態に係るスピーカ装置の塔状体の構成を示す分解斜視図である。
【図７】本発明の第２の実施の形態に係るスピーカ装置の塔状体を示す側面断面図である。
【図８】本発明の第３の実施の形態に係るスピーカ装置を示す側面断面図である。
【図９】本発明の第４の実施の形態に係るスピーカ装置を示す側面断面図である。
【図１０】本発明の第５の実施の形態に係るスピーカ装置を示す側面断面図である。
【図１１】本発明の第５の実施の形態に係るスピーカ装置に用いられる付設体を示す図である。
【図１２】本発明の第６の実施の形態に係るスピーカ装置を示す側面断面図である。
【図１３】本発明の別の実施の形態に係るスピーカ装置を示す側面断面図であり、（ａ）は本発明の第７の実施の形態に係るスピーカ装置、（ｂ）は本発明の第８の実施の形態に係るスピーカ装置、（ｃ）は本発明の第９の実施の形態に係るスピーカ装置、（ｄ）は本発明の第１０の実施の形態に係るスピーカ装置、（ｅ）は本発明の第１１の実施の形態に係るスピーカ装置を示す。
【図１４】本発明の実施の形態に係るスピーカ装置において、塔状体の変形例（ａ）（ｂ）を示す図である。
【図１５】本発明の実施の形態に係るスピーカ装置において、分割体の接続の変形例を示す断面図である。
【図１６】本発明の実施の形態に係るスピーカ装置において、別のエンクロージャの本体を示す図であり、（ａ）は正面図、（ｂ）は側面図である。
【図１７】本発明の実施例及び比較例をこれらの吸音性能試験結果（周波数とピンクノイズ減衰強度との関係グラフ）とともに示し、（ａ）は比較例の断面図及びその吸音性能試験結果を示す表図、（ｂ）は実施例１の断面図及びその吸音性能試験結果を示す表図である。
【図１８】本発明の実施例をその吸音性能試験結果（周波数とピンクノイズ減衰強度との関係グラフ）とともに示し、（ａ）は実施例２の断面図及びその吸音性能試験結果を示す表図、（ｂ）は実施例３の断面図及びその吸音性能試験結果を示す表図である。
【図１９】本発明の実施例４の断面図及びその吸音性能試験結果（周波数とピンクノイズ減衰強度との関係グラフ）を示す表図である。
【図２０】従来のスピーカ装置の一例を示す側面断面図である。
【図２１】従来のスピーカ装置の別の一例を示す側面断面図である。
【発明を実施するための形態】
【００３７】
以下、添付図面に基づいて、本発明の実施の形態に係るスピーカ装置を詳細に説明する。
図１乃至図３には、本発明の第１の実施の形態に係るスピーカ装置Ｓを示している。このスピーカ装置Ｓの基本的構成は、内部空間ｅを形成するとともに内壁面２が多面体に形成されたボックス状のエンクロージャ１と、エンクロージャ１の内壁面２の一面からなるバッフル面３を形成する壁部に取付けられるスピーカユニット１０と、エンクロージャ１の内部空間ｅに設けられる吸音部材とを備えてなる。
【００３８】
エンクロージャ１は、例えば、木質系材料，合成樹脂材料，金属材料，セラミック材料，これらの複合材料で構成され、実施の形態では、木材，木の集成材や合板等の木質系の材料で形成されている。このエンクロージャ１は、筒状の本体４と、本体４の前端開口を塞いでこの前端に取付けられスピーカユニット１０が取付けられる壁部を構成する前面板５と、本体４の後端開口を塞いでこの後端に取付けられる後面板６とで構成されている。筒状の本体４は、図２に示すように、軸方向に長い断面台形状の７枚の板単体４ａを接合して形成されており、エンクロージャ１は、正面から見て多角形状に形成され、実施の形態では、正七角形に形成されている。
【００３９】
これにより、エンクロージャ１の内壁面２は、スピーカユニット１０が設けられる前面板５で構成されるバッフル面３と、後面板６で構成されバッフル面３に対向する対向面７と、対向面７及びバッフル面３に連設される筒状の周囲面８とを備えて構成される。内壁面２によって囲繞される内部空間ｅは多面体に形成され、図２に示すように、周囲面８は、周囲面８の軸線Ｐに直交する平面（エンクロージャ１の正面）から見た輪郭線が奇数の多角形状になるように形成され、実施の形態では、正七角形に形成される。バッフル面３及び対向面７は、互いに鏡面対称であって周囲面８の多角形状に対応した多角形状に形成され、実施の形態では、正七角形に形成される。
【００４０】
エンクロージャ１の内部空間ｅの大きさは、適宜定めてよいが、例えば、直径が５０ｍｍ〜８０ｍｍのスピーカユニットを使用する場合には、正面から見て、軸心及び頂角間の寸法Ｒを、Ｒ＝３０ｍｍ〜５０ｍｍに設定し、側面から見て、軸線Ｐに沿う方向の長さであるバッフル面３及び対向面７間の距離Ｌを、Ｌ＝２００ｍｍ〜３００ｍｍに設定している。この寸法に規定されるものでは無いが、直径が１０ｃｍ〜２０ｃｍのさらに大型のスピーカユニットを使用することができる。
【００４１】
スピーカユニット１０は、図示外のアンプ等の音響駆動機器により、音楽，電子音など人間の聴覚で認識可能な様々な音を出力することができるものであり、コーン型，ドーム型，ホーン型，リボン型，平面型等から選択することができる。実施の形態では、スピーカユニット１０は、特殊の平面型のもので、平面状の振動板１１と、振動板１１の開口縁部が取り付けられるフレーム１２と、フレーム１２の基端部に設けられたヨーク１３とを備えて構成されている。図３中符号１４は内部空間ｅに引き通されたスピーカユニット１０の配線、符号１５はこの配線が接続され後面板６に設けられた接続端子である。適宜周知のコーン型のスピーカユニットを使用しても、全く同様に扱うことができる。
【００４２】
吸音部材は、基端がエンクロージャ１の内壁面２に取付けられ先端先細りに形成された塔状体２０と、塔状体２０の他に設けられ内部空間ｅに充填される繊維質あるいは多孔質の充填材３０とを備えて構成されている。
【００４３】
詳しくは、塔状体２０は、例えば、木質系材料，合成樹脂材料，ゴム系材料，金属材料，セラミック材料，これらの複合材料あるいは多孔質材等で構成され、実施の形態では、木材，木の集成材や合板等の木質系の材料で形成されている。この塔状体２０は、円錐あるいは多角錘からなる錘状に形成されている。実施の形態では円錐に形成している。
【００４４】
実施の形態では、上記の通り、バッフル面３及び対向面７間の距離Ｌを、Ｌ＝２００ｍｍ〜３００ｍｍに設定しているが、塔状体２０の高さＨは、０．３Ｌ≦Ｈ≦Ｌ、例えば、Ｈ＝１５０ｍｍ〜２５０ｍｍに設定している。
【００４５】
充填材３０は、例えば、グラスウール，フェルト，綿やウール等の天然繊維，ポリエステル，ポリプロピレン，アセテートやポリアミド（ナイロン）等の化学繊維，メラミンやウレタンなど高分子やゴムなどの発泡材，鉛やアルミの金属箔，ゴム，高分子等のシート材，不織布等により構成されている。この充填材３０は、スピーカユニット１０のヨーク１３の下面から対向面７にかけて充満させて設けられており、充填材３０の密度を、スピーカユニット１０から遠ざかるに従って大きく設定している。実施の形態では、スピーカユニット１０側の半分をポリエステル繊維（低密度吸音材）そしてポリプロピレン繊維（中密度吸音材）で構成し、対向面７側の半分をフェルト（高密度吸音材）で構成し、しかも、このポリエステル繊維（低密度吸音材）そしてポリプロピレン繊維（中密度吸音材）及びフェルト（高密度吸音材）を、夫々、その密度を、スピーカユニット１０から遠ざかるに従って大きく設定している。
【００４６】
従って、この実施の形態に係るスピーカ装置Ｓによれば、塔状体２０は、先端先細りに形成されているので、エンクロージャ１の内部空間ｅの断面積を変化させることができ、これにより、スピーカユニット１０の背面から輻射される音波に対して音響インピーダンスが実質的に急変しないような形状を形成してエンクロージャ末端まで反射させずに導き吸収することができる。また、内部空間ｅには繊維質あるいは多孔質の充填材３０が充填させられているので、この充填材３０によっても音波を吸収することができる。しかも、充填材３０は、その密度がスピーカユニット１０から遠ざかるに従って大きく設定されているので、充填材３０の音波に対するインピーダンスが徐々に変化する密度傾斜構造を構成することから、音波の反射が抑制され末端で熱に変化して吸音される。そのため、塔状体２０の吸音機能に加えて充填材３０による吸音機能が相乗的に働くので、スピーカユニットの背面から輻射される音波の吸収効率の向上を図ることができ、可能な限りスピーカユニット１０から忠実な音を再現できるようになる。
【００４７】
図４乃至図７には、本発明の第２の実施の形態に係るスピーカ装置Ｓを示している。このスピーカ装置Ｓは、上記第１の実施の形態に係るスピーカ装置Ｓと同様のエンクロージャ１及びスピーカユニット１０を備えているが、吸音部材の構成が異なっている。エンクロージャ１及びスピーカユニット１０の構成は上記と同様なので、同一の符号を付してその説明は省略する。吸音部材は、基端がエンクロージャ１の内壁面２に取付けられ先端先細りに形成された塔状体２０と充填材３０とを備えている。
【００４８】
塔状体２０は、その基端と先端とを結ぶ軸線Ｐに沿って複数に分割されており、この分割により形成された複数の分割体Ｔ（Ｔ１，Ｔ２・・・Ｔｎ）の側面２１は、夫々、先端から基端に向けて末広がりの傾斜面に形成されている。分割体Ｔ（Ｔ１，Ｔ２・・・Ｔｎ）は、３以上（実施の形態では６個）設けられており、この塔状体２０は、複数の分割体Ｔを軸方向に連設して構成されている。また、各分割体Ｔ（Ｔ１，Ｔ２・・・Ｔｎ）の形状及び／または大きさは異なって形成されている。
【００４９】
詳しくは、先端の分割体Ｔ（Ｔ１）は、円錐状に形成され、先端の分割体Ｔ（Ｔ１）より基端側の分割体Ｔは、側面２１の傾斜が同じに形成された円錐台状に形成されている。基端の分割体Ｔ（Ｔｎ）は後面板６と一体形成されている。また、各分割体Ｔは、先端側の分割体Ｔの底面の直径より基端側の分割体Ｔの底面の直径は順次大きくなるように形成されている。更に、各分割体Ｔの高さは同じ若しくは異なって形成されている。
【００５０】
また、各分割体Ｔのうち一部の分割体Ｔ若しくは全部の分割体Ｔの底面２２は凹設されている。実施の形態では、先端の分割体Ｔ（Ｔ１）と基端の分割体Ｔ（Ｔｎ）との間の分割体Ｔの底面２２が凹設されている。これらの底面２２の表面は、先端側から基端側に向けて末広がりの傾斜面であって側面２１の傾斜面とは異なる角度の傾斜面に形成されている。そして、凹設した分割体Ｔ（Ｔ２，Ｔ３，Ｔ４，Ｔ５）の底面２２とこれに隣接する下位の分割体Ｔ（Ｔ３，Ｔ４，Ｔ５，Ｔｎ）の先端部との間に凹部２３が形成されている。
【００５１】
更に、先端の分割体Ｔ（Ｔ１）と基端の分割体Ｔ（Ｔｎ）との間にある分割体Ｔにその軸線Ｐに沿ってロッド２４が挿通可能な挿通孔２５が形成されており、各分割体Ｔ（Ｔ１，Ｔ２・・・Ｔｎ）を連設した状態で挿通孔２５にロッド２４が挿通され、ロッド２４の一端が先端の分割体Ｔ（Ｔ１）に止着され、ロッド２４の他端が基端の分割体Ｔ（Ｔｎ）に止着されて、先端の分割体Ｔ（Ｔ１）と基端の分割体Ｔ（Ｔｎ）との間にある分割体Ｔは、先端の分割体Ｔ（Ｔ１）と基端の分割体Ｔ（Ｔｎ）とで挾持されている。具体的には、基端の分割体Ｔ（Ｔｎ）及び後面板６にも挿通孔２５が形成されている。ロッド２４は、先端部に頭部２６が設けられ、基端部には雄ネジ２７が形成されるとともに、基端部が後面部から突出する長さに形成されている。頭部２６は先端の分割体Ｔ（Ｔ１）に埋設固定されている。そして、ロッド２４を挿通孔２５に挿通させた状態で、その基端部の雄ネジ２７にナット２８をねじ込んで、先端の分割体Ｔ（Ｔ１）と基端の分割体Ｔ（Ｔｎ）との間にある分割体Ｔを、先端の分割体Ｔ（Ｔ１）と基端の分割体Ｔ（Ｔｎ）とで挾持している。これにより、分割体Ｔ（Ｔ１，Ｔ２・・・Ｔｎ）をロッド２４で集約して塔状体２０を形成できるので、塔状体２０の作成を容易にすることができる。
【００５２】
充填材３０は、例えば、グラスウール，フェルト，綿やウール等の天然繊維，ポリエステル，ポリプロピレン，アセテートやポリアミド（ナイロン）等の化学繊維，メラミンやウレタンなど高分子やゴムなどの発泡材，鉛やアルミの金属箔，ゴム，高分子等のシート材，不織布等により構成されている。この充填材３０は、スピーカユニット１０のヨーク１３の下面から対向面７にかけて充満させて設けられており、充填材３０の密度を、スピーカユニット１０から遠ざかるに従って大きく設定している。実施の形態では、スピーカユニット１０側の半分をポリエステル繊維（低密度吸音材）そしてポリプロピレン繊維（中密度吸音材）で構成し、対向面７側の半分をフェルト（高密度吸音材）で構成し、しかも、このポリエステル繊維（低密度吸音材）そしてポリプロピレン繊維（中密度吸音材）及びフェルト（高密度吸音材）を、夫々、その密度を、スピーカユニット１０から遠ざかるに従って大きく設定している。
【００５３】
従って、この実施の形態に係るスピーカ装置Ｓによれば、塔状体２０は、先端先細りに形成されているので、エンクロージャ１の内部空間ｅの断面積を変化させることができ、これにより、スピーカユニット１０の背面から輻射される音波に対して音響インピーダンスが実質的に急変しないような形状を形成して吸収することができる。この場合、塔状体２０が分割され、各分割体Ｔ（Ｔ１，Ｔ２・・・Ｔｎ）が傾斜面に形成された側面２１を有するので、塔状体２０の軸方向の表面が、凹凸形成されることになり、エンクロージャ１の内部空間ｅの断面積を複雑に変化させることができ、また、各分割体Ｔ（Ｔ１，Ｔ２・・・Ｔｎ）の側面２１の傾斜面によっても内部空間ｅの断面積を変化させることができ、そのため、従来の平坦な塔状体２０に比較して、音波の高音から低音までの幅広い周波数帯域に対して吸音態様が多様に対応できるようなることから、より一層吸収効率の向上を図ることができ、より一層スピーカユニット１０から忠実な音を再現できるようになる。
【００５４】
また、各分割体Ｔ（Ｔ１，Ｔ２・・・Ｔｎ）の形状及び／または大きさが異なっているので、各分割体Ｔ（Ｔ１，Ｔ２・・・Ｔｎ）において、一定の振動数をもった振動音を発生しにくくすることができ、より一層吸収効率の向上を図ることができる。更に、凹部２３が形成された分割体Ｔの裏面側に、凹部２３からなるポケットが形成されるので、このポケットに音波が入り込むことから、吸音作用が生じ、より一層吸収効率の向上を図ることができる。更にまた、凹部２３の表面が先端側から基端側に向けて末広がりの傾斜面であって側面２１の傾斜面とは異なる角度の傾斜面に形成されているので、各分割体Ｔに、厚みの変化した構造が存在することになり、そのため、各分割体Ｔにおいて、一定の振動数をもった振動音を発生しにくく多様な周波数の音波に対応することができ、この点でも、より一層吸収効率の向上を図ることができる。そのため、より一層スピーカユニット１０から忠実な音を再現できるようになる。
【００５５】
そしてまた、内部空間ｅには繊維質の充填材３０が充填させられているので、この充填材３０によっても音波のエネルギーを吸収することができる。しかも、充填材３０は、その密度がスピーカユニット１０から遠ざかるに従って大きく設定されているので、充填材１０の音波に対するインピーダンスが徐々に変化する密度傾斜構造を構成することから、音波の反射が抑制され末端まで導かれその間で熱に変化して吸音される。そのため、多段に形成された塔状体２０の音響インピーダンスが急変しないような形状を形成してエンクロージャ末端まで導く機能に加えて、充填材３０による吸音機能が相乗的に働くので、音波の吸収効率の向上を図ることができ、可能な限りスピーカユニットから忠実な音を再現できるようになる。
【００５６】
図８には、本発明の第３の実施の形態に係るスピーカ装置Ｓを示している。このスピーカ装置Ｓは、上記第２の実施の形態に係るスピーカ装置Ｓと同様のエンクロージャ１，スピーカユニット１０及び吸音部材としての塔状体２０及び充填材３０を備えている。エンクロージャ１，スピーカユニット１０，塔状体２０及び充填材３０の構成は上記と同様なので、同一の符号を付してその説明は省略する。そして、これに加えて、吸音部材として、塔状体２０及び充填材３０の他に、分割体Ｔの底面２２の下方に臨む繊維質あるいは多孔質の付設体４０を用い、この付設体４０を、複数の分割体Ｔのうち一部の分割体Ｔ若しくは全部の分割体Ｔに、夫々設けた構成としている。実施の形態では、付設体４０を、基端の分割体Ｔ（Ｔｎ）を除く他の分割体Ｔ（Ｔ１〜Ｔ５）の底面２２の下方に臨むように、分割体Ｔ（Ｔ２〜Ｔｎ）の側面２１に付設している。
【００５７】
付設体４０の材質としては、例えば、グラスウール，フェルト，綿やウール等の天然繊維，ポリエステル，ポリプロピレン，アセテートやポリアミド（ナイロン）等の化学繊維，メラミンやウレタンなど高分子やゴムなどの発泡材，鉛やアルミの金属箔，ゴム，高分子等のシート材，不織布等により構成することができる。実施の形態では、フェルトを用いた。付設体４０は、マット状に形成されており、その中央部分に分割体Ｔ（Ｔ２〜Ｔｎ）の先端側が挿通される孔（図示せず）が形成され、中央部分の周囲が分割体Ｔ（Ｔ２〜Ｔｎ）の側面２１に付設されて、隣接する分割体Ｔの上位の分割体Ｔ（Ｔ１〜Ｔ５）の底面２２の下方に臨むように設けられる。
【００５８】
従って、この実施の形態に係るスピーカ装置Ｓによれば、上記第２の実施の形態に係る塔状体２０の作用，効果を奏するとともに、付設体４０によっても音波を吸収することができる。そのため、塔状体２０及び充填材３０の吸音機能に加えて付設体４０による吸音機能が相乗的に働くので、音波の吸収効率の向上を図ることができ、可能な限りスピーカユニット１０から忠実な音を再現できるようになる。
【００５９】
図９には、本発明の第４の実施の形態に係るスピーカ装置Ｓを示している。このスピーカ装置Ｓは、上記第３の実施の形態に係るスピーカ装置Ｓと同様に構成されるが、上記と異なって、付設体４０を、複数の分割体Ｔのうち２以上の分割体Ｔに夫々対応して複数設け、各付設体４０の密度をスピーカユニット１０から遠ざかるに従って大きく設定した構成としている。実施の形態では、付設体４０を、基端の分割体Ｔ（Ｔｎ）を除く他の分割体Ｔ（Ｔ１〜Ｔ５）の底面２２の下方に臨むように、分割体Ｔ（Ｔ２〜Ｔｎ）の側面２１に付設し、各付設体４０の密度をスピーカユニット１０から遠ざかるに従って大きく設定した構成としている。そのため、付設体４０の列においても音波に対するインピーダンスが徐々に変化する密度傾斜構造を構成することから、より一層最適化を図ることができる。
【００６０】
図１０及び図１１には、本発明の第５の実施の形態に係るスピーカ装置Ｓを示している。このスピーカ装置Ｓは、上記第３の実施の形態に係るスピーカ装置Ｓとほぼ同様に形成されている。上記と異なって、吸音部材としての塔状体２０において、分割体Ｔ（Ｔ１，Ｔ２・・・Ｔｎ）の数が１つ少なくなっている。また、付設体４０の構成が異なっている。付設体４０は、マット状に形成されており、その中央部分が隣接する分割体Ｔ間に介装され、中央部分の周囲が下側の分割体Ｔの側面２１に付設されて、隣接する分割体Ｔの上位の分割体Ｔの底面２２の下方に臨むように設けられる。実施の形態では、付設体４０は、３枚設けられ、夫々、分割体Ｔ（Ｔ２）と分割体Ｔ（Ｔ３）との間、分割体Ｔ（Ｔ３）と分割体Ｔ（Ｔ４）との間、分割体Ｔ（Ｔ４）と分割体Ｔ（Ｔｎ）との間に介装されている。図１１に示すように、付設体４０の中央には、ロッド２４が挿通される貫通孔４１が形成され、ロッド２４に螺合するナット２８の締め付けによって、その中央部分が隣接する分割体Ｔ間に挾持される。
【００６１】
従って、この実施の形態に係るスピーカ装置Ｓによれば、付設体４０によっても音波を吸収することができる。この場合、マット状の付設体４０の中央部分が分割体Ｔ間に介装されるので、分割体Ｔの間に入った付設体４０によって分割体Ｔの振動が吸収されるようになり、分割体Ｔ（Ｔ１，Ｔ２・・・Ｔｎ）の固有の振動音の発生を防止することができる。全体構造としても固有の振動音の発生を防止することができ、それだけ、吸音作用を増加させることができる。特に低域の吸音効果を発揮させることができる。そのため、塔状体２０及び充填材３０の吸音機能に加えて付設体４０による吸音機能が相乗的に働くので、より一層音波の吸収効率の向上を図ることができ、可能な限りスピーカユニット１０から忠実な音を再現できるようになる。他の作用，効果は上記と同様である。
【００６２】
図１２には、本発明の第６の実施の形態に係るスピーカ装置Ｓを示している。このスピーカ装置Ｓは、上記第５の実施の形態に係るスピーカ装置Ｓとほぼ同様に形成されている。上記と異なって、吸音部材としての塔状体２０において、分割体Ｔ（Ｔ１，Ｔ２・・・Ｔｎ）の数が１つ多くなっている。そして、付設体４０は、マット状に形成されており、その中央部分が隣接する分割体Ｔ間に介装され、中央部分の周囲が下側の分割体Ｔの側面２１に付設されて、隣接する分割体Ｔの上位の分割体Ｔの底面２２の下方に臨むように設けられる。実施の形態では、付設体４０は、５枚設けられ、分割体Ｔ（Ｔ１）と分割体Ｔ（Ｔ２）との間、分割体Ｔ（Ｔ２）と分割体Ｔ（Ｔ３）との間、分割体Ｔ（Ｔ３）と分割体Ｔ（Ｔ４）との間、分割体Ｔ（Ｔ４）と分割体Ｔ（Ｔ５）との間、分割体Ｔ（Ｔ５）と分割体Ｔ（Ｔｎ）との間に介装されている。また、上記と異なって、各付設体４０の密度をスピーカユニット１０から遠ざかるに従って大きく設定した構成としている。従って、塔状体２０及び充填材３０の吸音機能に加えて付設体４０による吸音機能が相乗的に働くとともに、充填材３０の密度傾斜構造のみならず、付設体４０の列においても音波に対するインピーダンスが徐々に変化する密度傾斜構造を構成することから、より一層最適化を図ることができる。
【００６３】
図１３（ａ）〜（ｅ）には、夫々、本発明の第７乃至第１１の実施の形態に係るスピーカ装置Ｓを示している。これら第７乃至第１１の実施の形態に係るスピーカ装置Ｓは、夫々、上記第２乃至第６の実施の形態に係るスピーカ装置Ｓに対応するが、上記と異なって、吸音部材としての充填材３０が設けられていない。即ち、図１３（ａ）に示す第７の実施の形態に係るスピーカ装置Ｓは、図５に示す第２の実施の形態に係るスピーカ装置Ｓから充填材３０を除いた構成のものであり、図１３（ｂ）に示す第８の実施の形態に係るスピーカ装置Ｓは、図８に示す第３の実施の形態に係るスピーカ装置Ｓから充填材３０を除いた構成のものであり、図１３（ｃ）に示す第９の実施の形態に係るスピーカ装置Ｓは、図９に示す第４の実施の形態に係るスピーカ装置Ｓから充填材３０を除いた構成のものであり、図１３（ｄ）に示す第１０の実施の形態に係るスピーカ装置Ｓは、図１０に示す第５の実施の形態に係るスピーカ装置Ｓから充填材３０を除いた構成のものであり、図１３（ｅ）に示す第１１の実施の形態に係るスピーカ装置Ｓは、図１２に示す第６の実施の形態に係るスピーカ装置Ｓから充填材３０を除くとともに、分割体Ｔの数を１つ少なくするとともに、付設体４０の数を２つ少なくした構成のものである。これら第７乃至第１１の実施の形態に係るスピーカ装置Ｓにおいても、充填材３０がない分、吸音性能は低下するが、従来の平坦な塔状体に比較して、高音から低音までの幅広い音波の周波数帯域に対して吸音効果が多様になることから、吸収効率の向上を図ることができる。
尚、図示しないが、本発明の第１２乃至第１６の実施の形態に係るスピーカ装置Ｓとして、上記第７乃至第１１の実施の形態に係るスピーカ装置Ｓにおいて、夫々、エンクロージャ１内に密度を均一にした充填材を充填したものを挙げることができる。充填材は上記の材質のものから適宜選択することができる。充填材との相乗効果を発揮させることができる。
【００６４】
図１４には、塔状体２０の変形例を示す。図１４（ａ）に示す塔状体２０は、隣接する先端側の分割体Ｔと基端側の分割体Ｔとを弾性部材５０を介して連設したものである。弾性部材５０は接着剤で構成され、隣接する先端側の分割体Ｔと基端側の分割体Ｔとを接着している。
【００６５】
これにより、弾性部材５０が分割体Ｔ（Ｔ１，Ｔ２・・・Ｔｎ）間に介装されるので、分割体Ｔの振動が吸収されるようになり、そのため、各分割体Ｔの固有の振動音の発生を防止することができる。全体構造としても固有の振動音の発生を防止することができ、それだけ吸音作用を増加させることができる。特に低域の吸音効果を発揮させることができる。他の作用，効果は上記と同様である。
【００６６】
図１４（ｂ）に示す塔状体２０は、図１４（ａ）に示す塔状体２０と同様に構成されるが、これと異なって、先端の分割体Ｔ（Ｔ１）を除く他の全ての分割体Ｔ（Ｔ２〜Ｔｎ）が、同じ大きさで同じ形状の円錐台状に形成されている。先端の分割体Ｔ（Ｔ１）と基端の分割体Ｔ（Ｔｎ）との間の分割体Ｔ（Ｔ２〜Ｔ５）の底面２２は凹設されている。これによっても、図１４（ａ）に示す塔状体２０と同様の作用，効果を奏する。
【００６７】
図１５には、各分割体Ｔ（Ｔ１〜Ｔｎ）の接続の仕方の変形例を示す。これは、上位の分割体Ｔの底面側に軸線Ｐを軸心とする嵌合孔６０を設け、下位の分割体Ｔの先端部側に軸線Ｐを軸心とし嵌合孔６０に嵌合する嵌合突部６１を設け、嵌合孔６０と嵌合突部６１とを嵌合させて連設したものである。連設の仕方は適宜変更して差支えない。
【００６８】
図１６には、本発明の実施の形態に係るスピーカ装置において、別のエンクロージャ１の本体４を示している。これは、円盤状の板単体４ｂに、多角形（図では正七角形）の穴を開け、この板単体４ｂを複数積層して、周囲面８を形成している。上記と同様の作用，効果を奏する。
【実施例】
【００６９】
次に、図１７（ｂ）,図１８（ａ）（ｂ）及び図１９に示す実施例１〜４を作成し、図１７（ａ）に示す比較例とともに吸音性能試験を行った。
＜実施例１＞
図１７（ｂ）に示すように、本発明の第１の実施の形態に係るスピーカ装置Ｓの構成（図１乃至図３）のものである。実施例１において、エンクロージャ１は、木材からなる７枚の板単体を接合して正面から見て正七角形に形成した。エンクロージャ１の大きさは、正面から見て、軸心及び頂角間の寸法Ｒを、Ｒ＝４５ｍｍにし、バッフル面３及び対向面７間の距離Ｌを、Ｌ＝２００ｍｍに設定した。スピーカユニット１０としては、５０×４０ｍｍの平面型のスピーカユニット（株式会社ファル製の「FLAT-C40」）を用いた。
【００７０】
また、塔状体２０は、木材で形成した。底面の直径を８０ｍｍにし、その高さＨを、Ｈ＝１５０ｍｍに設定した。充填材３０は、スピーカユニット１０側の半分をポリエステル繊維（低密度吸音材）そしてポリプロピレン繊維（中密度吸音材）で構成し、対向面７側の半分をフェルト（高密度吸音材）で構成し、このポリエステル繊維（低密度吸音材）そしてポリプロピレン繊維（中密度吸音材）及びフェルト（高密度吸音材）を、夫々、その密度を、スピーカユニット１０から遠ざかるに従って大きく設定した。
【００７１】
＜実施例２＞
図１８（ａ）に示すように、本発明の第２の実施の形態に係るスピーカ装置Ｓの構成（図４乃至図７）のものである。塔状体２０は、木材で形成した。また、塔状体２０は、先端側の底面の直径より基端側の分割体Ｔの底面の直径が順次大きくなるように形成した分割体Ｔを６つ用いて構成した。最基端にある分割体Ｔの底面の直径を８０ｍｍにし、全高さＨを、Ｈ＝１５０ｍｍに設定した。他は実施例１と同様である。
【００７２】
＜実施例３＞
図１８（ｂ）に示すように、本発明の第３の実施の形態に係るスピーカ装置Ｓの構成（図８）のものである。実施例２の塔状体２０に、付設体４０を設けた。付設体４０は、  フェルトで構成した。他は実施例２と同様である。
【００７３】
＜実施例４＞
図１９に示すように、本発明の第６の実施の形態に係るスピーカ装置Ｓの構成（図１２）のものである。実施例２の塔状体２０において、分割体Ｔ間に、付設体４０を介装した。そして、各付設体４０は、スピーカユニット１０側の半分をポリエステル繊維（低密度吸音材）そしてポリプロピレン繊維（中密度吸音材）で構成し、対向面７側の半分をフェルト（高密度吸音材）で構成し、このポリエステル繊維（低密度吸音材）そしてポリプロピレン繊維（中密度吸音材）及びフェルト（高密度吸音材）を、夫々、その密度を、スピーカユニット１０から遠ざかるに従って大きく設定した。他は実施例２と同様である。
【００７４】
＜比較例＞
図１７（ａ）に示すように、比較例は、実施例１のスピーカ装置から充填材３０を取り除き、吸音部材を円錐状の塔状体２０のみのものとした。
【００７５】
試験は、実施例１乃至４に係るスピーカ装置について、比較例に係るスピーカ装置とともに以下の試験を行った。
試験は、エンクロージャ内部に図示外の測定マイク（BEHRIGER  ECM8000）を挿入し、スピーカ１０にピンクノイズを入力して音波を出力させた時に、エンクロージャ内部の周波数特性を測定した。結果を図１７乃至図１９に示す。
【００７６】
図１７（ａ）に示すように、比較例においては、ピンクノイズ減衰強度が若干下がるものの、エンクロージャ内部で音波が反射して定在波が出現したピーク波形が多く観察される。これに対して、図１７（ｂ）に示すように、実施例１においては、比較例に比較してエンクロージャ内部の定在波や中高音域の音波が減少している。特に、ピンクノイズ減衰強度が、５００Ｈｚにおいて−３０ｄｂ以下になり、且つ、５０００Ｈｚにおいて−５０ｄｂ以下になっており、極めて良好であることが分かる。図１８（ａ）に示す第２実施例，図１８（ｂ）に示す第３実施例及び図１９に示す第４実施例においても同様である。特に、図１８（ｂ）に示す第３実施例及び図１９に示す第４実施例において、エンクロージャ内部の定在波と音波の吸収効果は１００Ｈｚ（１０ｄｂ低下）の低域まで及んでいる。聴覚上に重要となる５００Ｈｚ〜の周波数領域では４０ｄｂ以上も低下しており全く音響特性に影響を与えることが無い。そのためスピーカ１０の背面から発音され音波に起因するエンクロージャ内部に存在する定在波や音波が前面から発音される音楽情報に影響を与えることが無くなる。
【００７７】
その結果、録音媒体に記録された原音が素直に再生され、視聴者の耳に聴こえることとなる。良い条件で録音された音源であれば、オーケストラ演奏や歌手の歌っている様子や、その会場の雰囲気まで伝わってくる実在感を得ることができた。可能な限りスピーカユニットから忠実な音が再現できるようにしたスピーカ装置を提供することができた。
【００７８】
尚、上記実施の形態２乃至４に係る塔状体２０において、各分割体Ｔ（Ｔ１〜Ｔｎ）を接合して形成したが、必ずしもこれに限定されるものではなく、各分割体Ｔ（Ｔ１〜Ｔｎ）が一体形成されていてもよく、適宜変更して差支えない。分割体Ｔの数も上記に限定されない。また、上記実施の形態に係る分割体Ｔ（Ｔ１〜Ｔｎ）の側面は、円錐面に形成したが、必ずしもこれに限定されるものではなく、多角錘の錐面に形成してよく、適宜変更して差支えない。更に、上記実施の形態において、塔状体２０の分割体Ｔに凹部２３を設けたが、必ずしもこれに限定されるものではなく、分割体Ｔを底面２２が平面状に形成された錘状に形成したものを連設して形成して凹部２３を設けなくてもよく、適宜変更して差支えない。
【００７９】
更にまた、上記実施の形態において、エンクロージャ１の本体４の周囲面を七角形に形成したが、必ずしもこれに限定されるものではなく、五角形や三角形等他の角形に形成してよく、適宜変更して差支えない。更にまた、各部の材質も上述したものに限定されないことは勿論である。本発明は、上述した本発明の実施の形態に限定されず、当業者は、本発明の新規な教示及び効果から実質的に離れることなく、これら例示である実施の形態に多くの変更を加えることが容易であり、これらの多くの変更は本発明の範囲に含まれる。
【符号の説明】
【００８０】
Ｓ  スピーカ装置
１  エンクロージャ
ｅ  内部空間
２  内壁面
３  バッフル面
４  本体
４ａ  板単体
４ｂ  板単体
５  前面板
６  後面板
７  対向面
８  周囲面
Ｐ  軸線
１０  スピーカユニット
１１  振動板
１２  フレーム
１３  ヨーク
１４  配線
１５  接続端子
２０  塔状体（吸音部材）
Ｔ（Ｔ１，Ｔ２・・・Ｔｎ）  分割体
２１  側面
２２  底面
２３  凹部
２４  ロッド
２５  挿通孔
２６  頭部
２７  雄ネジ
２８  ナット
３０  充填材（吸音部材）
４０  付設体（吸音部材）
４１  貫通孔
５０  弾性部材
６０  嵌合孔
６１  嵌合突部
【要約】
【課題】  スピーカユニットの背面から輻射される音波の吸収効率の向上を図り、可能な限りスピーカユニットから忠実な音を再現できるようにする。
【解決手段】  エンクロージャ１と、スピーカユニット１０と、吸音部材とを備え、吸音部材として、基端がエンクロージャ１に取付けられ先端先細りに形成された塔状体２０を備え、塔状体２０を、その基端と先端とを結ぶ軸線Ｐに沿って複数に分割し、この分割された分割体Ｔ（Ｔ１，Ｔ２・・・Ｔｎ）の側面２１を、夫々、先端側から基端側に向けて末広がりの傾斜面に形成した。また、吸音部材として、塔状体２０の他に、内部空間ｅに充填される多孔質の充填材３０を設けるとともに、充填材３０の密度をスピーカユニットから遠ざかるに従って大きく設定した。
【選択図】  図５【図１】
0006779508.tif 000002
【図２】
0006779508.tif 000003
【図３】
0006779508.tif 000004
【図４】
0006779508.tif 000005
【図５】
0006779508.tif 000006
【図６】
0006779508.tif 000007
【図７】
0006779508.tif 000008
【図８】
0006779508.tif 000009
【図９】
0006779508.tif 000010
【図１０】
0006779508.tif 000011
【図１１】
0006779508.tif 000012
【図１２】
0006779508.tif 000013
【図１３】
0006779508.tif 000014
【図１４】
0006779508.tif 000015
【図１５】
0006779508.tif 000016
【図１６】
0006779508.tif 000017
【図１７】
0006779508.tif 000018
【図１８】
0006779508.tif 000019
【図１９】
0006779508.tif 000020
【図２０】
0006779508.tif 000021
【図２１】
0006779508.tif 000022